(57)【要約】【課題】  生ゴミ処理機において、均一で急速な加熱と省エネルギを向上させること。【解決手段】  内容器４に投入された生ゴミ１は、対向して設置された電極Ａ２ａ及び電極Ｂ２ｂによって挟み込まれ、発振器８及び電源／増幅器９から生ゴミ１に対して電力が供給され、生ゴミ１自体が有する抵抗値によって、生ゴミ１自体が発熱（ジュール加熱）し、内部の水分を蒸発させて乾燥して減容化されるので、均一で急速な加熱が可能となり、また短時間で効率的に生ゴミを処理できるため、省エネルギも向上できる生ゴミ処理機が実現できる。【選択図】  図１
2005052771.tif 000002
【特許請求の範囲】
【請求項１】
対向して配置されると共に、電圧をかけることのできる電極を備え、前記対向した電極間に生ゴミがはさみ込まれる構成とした生ゴミ処理機。
【請求項２】
対向した電極のうち少なくとも一方の電極に、孔を設けた請求項１に記載の生ゴミ処理機。
【請求項３】
対向した電極間に、外部より圧力を加えることができる構成とした請求項１または２に記載の生ゴミ処理機。
【請求項４】
対向した電極のうち少なくとも一方の電極が容器の一部に組み込まれ、容易に脱着できる構成とした請求項１から３のいずれか１項に記載の生ゴミ処理機。
【請求項５】
対向した電極を、ロール形状とした請求項１に記載の生ゴミ処理機。
【請求項６】
対向した電極を、２段に構成した請求項５に記載の生ゴミ処理機。
【請求項７】
対向した電極のうち１段目の電極の電極間隔よりも、２段目の電極間隔を狭く構成した請求項６に記載の生ゴミ処理機。
【請求項８】
電極間の生ゴミの抵抗値変化により、ロールの回転を制御すること特徴とする請求項５から７のいずれか１項に記載の生ゴミ処理機。
【請求項９】
対向した電極が無限軌道方式であることを特徴とする請求項１に記載の生ゴミ処理機。
【請求項１０】
電極間の印可が交流電界であることを特徴とする請求項１から９のいずれか１項に記載の生ゴミ処理機。
【発明の詳細な説明】
【技術分野】
【０００１】
本発明は、一般家庭や飲食店から発生する生ゴミを処理する生ゴミ処理機に関するものである。
【背景技術】
【０００２】
従来、この種の生ゴミ処理機は、ゴミ容器にゴミを投入し、ゴミを撹拌粉砕しながら加熱する構成のものがあった（例えば、特許文献１参照）。
【０００３】
図６は、前記特許文献１に記載された従来の生ゴミ処理機を示すものである。図６に示すようにゴミ容器６１と回転刃６２と加熱手段６３と熱風ファン６４から構成されている。
【０００４】
また、ゴミを処理槽に投入し撹拌バネで撹拌しながら微生物の活動により分解処理を行うものがあった（例えば、特許文献２参照）。
【０００５】
図７は、前記特許文献２に記載された従来の別の生ゴミ処理を示すものである。図７に示すように処理槽７１と撹拌モーター７２と撹拌羽根７３から構成されている。
【特許文献１】特開平６−２９２８７９号公報
【特許文献２】特開平７−５１６５５号公報
【発明の開示】
【発明が解決しようとする課題】
【０００６】
しかしながら、前記従来の構成では生ゴミを加熱手段によって間接的に暖めるので消費電力が大きく、処理時間もかかってしまうものであり過乾燥になってゴミが焦げてしまい焦げ臭も発生するものであった。さらに、微生物の分解を利用する方法では処理するのに時間がかかってしまうといった課題を有していた。
【０００７】
本発明は、上記従来の課題を解決するもので生ゴミに直接通電することにより均一で急速な加熱と省エネルギを向上させた生ゴミ処理機を提供することを目的とする。
【課題を解決するための手段】
【０００８】
前記従来の課題を解決するために、本発明の生ゴミ処理機は、電圧をかけることのできる一対の電極間に生ゴミが挟まれるような構成としたものである。これによって、電極間に挟まれた生ゴミに通電することにより、生ゴミ自体が自己発熱（ジュール加熱）をして短時間で生ゴミを乾燥し乾燥ゴミとして減量化することができる生ゴミ処理機となる。
【発明の効果】
【０００９】
本発明の生ゴミ処理機は、省エネでかつ短時間で生ゴミを乾燥させることにより、生ゴミを簡単に減量化することができる。
【発明を実施するための最良の形態】
【００１０】
第１の発明は、対向して配置されると共に、電圧をかけることのできる電極を備え、前記対向した電極間に生ゴミがはさみ込まれる構成として、前記電極間に通電することにより、生ゴミ自身の抵抗値に応じた自己発熱が発生し、生ゴミ中に含まれている水分が次第に蒸発する。最終的には水分がなくなった時点で発熱は自動的に止まり、それ以上の発熱は起こらなくなる（焦げない）。これにより、生ゴミに対し均一で急速な加熱が可能となり、また熱変換効率（電気エネルギ→熱エネルギ）も高く、短時間で省エネ性を実現することができる。
【００１１】
第２の発明は、第１の発明の対向した電極のうち少なくとも一方の電極に、孔を設けたことにより、生ゴミから発生した水蒸気等を効果的に外へ逃がすことができる。
【００１２】
第３の発明は、第１または第２の発明の対向した電極間に、外部より圧力が加えることにより、電極間に挟まれた生ゴミを電極により密着することができ、生ゴミに均一に電気を流すことができ効率的に処理することができる。
【００１３】
第４の発明は、第１〜３のいずれか１つの発明の対向した電極のうち、少なくとも一方の電極が容器の一部に組み込まれ、容易に脱着できる構成としたことにより、電極で加熱した後の減量化した乾燥ゴミを簡単に取り出し捨てることができる。
【００１４】
第５の発明は、第１の発明の対向した電極を、ロール形状としたことにより、ロールを所定の回転数で回転させることができ、生ゴミを連続的に処理することができる。
【００１５】
第６の発明は、第５の発明の対向した電極を２段に構成することにより、１段目で乾燥不十分な場合でも２段目でさらに乾燥をせせることができ、処理後の乾燥ゴミが湿っているようなことをなくすことができる。
【００１６】
第７の発明は、第６の発明の対向した電極のうち、１段目の電極の電極間隔よりも２段目の電極間隔を狭くすることにより、１段目で乾燥しきれなかった生ゴミを２段目の電極間隔を狭くすることで生ゴミとの密着を上げることができ、処理後の乾燥ゴミが湿っているようなことをなくすることができる。
【００１７】
第８の発明は、第１〜７のいずれか１つの発明の対向した電極間の生ゴミの抵抗値変化により、ロールの回転を制御することで、生ゴミが完全に乾燥するまでロールの回転を調整でき、処理した後の乾燥ゴミが湿っているようなことをなくすことができる。
【００１８】
第９の発明は、第１の発明の対向した電極が、無限軌道方式であることにより、生ゴミと電極が接している時間が長くすることができ、処理後の乾燥ゴミが湿っているようなことをなくすことができる。また、生ゴミを処理する際のローラーの回転数を落とさずに処理できるためより短時間での生ゴミの処理が可能である。
【００１９】
第１０の発明は、第１〜９のいずれか１つの発明の電極間の印可が、交流電界であることにより、内部までエネルギが伝わりやすく短時間で生ゴミの内部を加熱することができる。さらに、電極の腐食を防ぐことができるため、生ゴミ処理機の電極寿命を延ばすことができる。
【００２０】
以下、本発明の実施の形態について、図面を参照しながら説明する。なお、本実施の形態によって本発明が限定されるものではない。
【００２１】
（実施の形態１）
図１は、本発明の第１の実施の形態における生ゴミ処理機の断面図を示すものである。また、図２は本発明の第２の実施の形態における生後に処理機の断面図を示したものである。
【００２２】
図１において、生ゴミ１を投入するために外殻容器３の内側に設置された内容器４を有している。内容器４には、電極Ａ２ａが配置されており、対して電極Ｂ２ｂが生ゴミ１を介して配置されている構成である。また、電極Ａ２ａ及び電極Ｂ２ｂに電力を供給するために発振器８と電源／増幅器９に電力強休戦７によって接続されている。前記内容器４に配置された電極２ａには、給電ターミナルが設けられており、給電端子６から電力が供給される構成である。
【００２３】
以上のように構成された生ゴミ処理機について、以下その動作、作用を説明する。
【００２４】
内容器４に投入された生ゴミ１は、対向して設置されている電極Ａ２ａ及び電極Ｂ２ｂによって挟み込まれる。生ゴミ１に対して所定の圧力が外部から与えられ、発振器８及び電源／増幅器９から電力供給線を伝達して電極Ａ２ａ及び電極Ｂ２ｂへ所定の電力が供給されることとなる。電極Ａ２ａ及び電極Ｂ２ｂから生ゴミ１に対して電力が供給され、生ゴミ１自体が有する抵抗値によって、生ゴミ１自体が発熱（ジュール加熱）し、内部の水分を蒸発させて乾燥して減容化されていく。生ゴミ１自体の加熱が進行し、内部の水分がなくなり導電性がなくなると抵抗値が無限大に近づき生ゴミの発熱は自動的に止まるものである。すなわち、生ゴミ１を内容器４に投入し、電極Ａ２ａ及び電極Ｂ２ｂで挟み電極間で生ゴミに対して、通電することにより生ゴミは、即座に発熱し、自身の熱により内部の水分をどんどん蒸発させ、減容化されていき、最終的に水分がなくなった時点で自動的に発熱が止まり、処理が完了するものである。
【００２５】
図２において、電極Ｂ２ｂの一部に孔２０を設けるような構成としている。電極Ａ２ａ及び電極Ｂ２ｂに挟まれた生ゴミ１に通電したときに発生する水蒸気２１をこの孔２０を通して効率的に生ゴミ処理機の外に出すことができるものである。
【００２６】
また、電極Ａ２ａ及び電極Ｂ２ｂ間に外部より圧力（例えばバネ、重り、油圧等）を生ゴミ１に対して、一定荷重加えられるようにすることによって、電極Ａ２ａと電極Ｂ２ｂ間の生ゴミ１に対して常に一定の圧力で接することができ、また電極と生ゴミとの密着もよくなり電気が安定して均一に流れやすくなり、より素早く乾燥が進み減容化することができる。
【００２７】
さらに、内容器４が、外殻容器３から容易に取り外すことができることによって、処理されたゴミを簡単に手早く捨てることができる。このとき、電極２ａに対し電力供給は、給電ターミナル５と給電端子６を接することにより供給される。
【００２８】
（実施の形態２）
図３は、本発明の第２の実施の形態における生ゴミ処理機の断面図を示すものである。図３において、外容器３１の一部に生ゴミ１を投入するための生ゴミ投入口３０が設けられている。さらに、生ゴミ投入口３０に続きロール形状のロール電極３３が対向して配置されている構成となっている。ロール状電極３３に発振器８と電源／増幅器９からの電力を電力供給線７を通じて供給する構成としている。
【００２９】
以上のように構成された生ゴミ処理機について、以下その動作、作用を説明する。
【００３０】
外容器３１に設けられた生ゴミ投入口３０から生ゴミ１を投入する。投入された生ゴミ１は所定の速度で回転しているロール電極３３の間を通過する際に、生ゴミ１を通電し、発生した熱（ジュール熱）によって、含まれている水分が水蒸気となって蒸発する。また、回転しているロール電極３３を通過する際に生ゴミ１に圧力がかかり潰されロール電極３３との密着性もよくなり生ゴミ１への通電効率がよくなる。さらに、生ゴミ１が崩れることで生ゴミ１内部からの水分蒸発を助長するように作用する。以上のように、ロール電極３３により生ゴミ１を処理して乾燥ゴミ３２へ連続的に生ゴミを処理することができ、かつ省エネで短時間を実現することができる。
【００３１】
（実施の形態３）
図４は、本発明の第３の実施の形態における生ゴミ処理機の断面図を示すものである。図４において、外容器３１の一部に生ゴミ１を投入するための生ゴミ投入口３０が設けられている。さらに、生ゴミ投入口３０に続きロール形状の第１段目ロール電極４０が対向して配置され、さらに第２段目ロール電極４１が配置されている構成としている。第１段目ロール電極４０及び第２段目ロール電極４１に発振器８と電源／増幅器９からの電力を電力供給線７を通じて供給する構成としている。
【００３２】
以上のように構成された生ゴミ処理機について、以下その動作、作用を説明する。
【００３３】
外容器３１に設けられた生ゴミ投入口３０から生ゴミ１を投入する。投入された生ゴミ１は所定の速度で回転している第１段目ロール電極４０の間を通過する際に、生ゴミ１を通電し、発生した熱（ジュール熱）によって、含まれている水分が水蒸気となって蒸発する。次に設けられた第２段目ロール電極４１を通すことにより、第１段目で蒸発しきれなかった水分をさらに蒸発させることができ、生ゴミ１を完全に乾燥した乾燥ゴミ３２とすることができる。また、第一段目ロール電極４０間隔よりも第２段目ロール電極４１間隔を狭くすることによって、より生ゴミ１に対して、第１段目ロール電極を通過するときよりもさらに圧力を加えることができ、電極との密着性向上及び生ゴミの粉砕が進み、より一層の蒸発を促進することができ、短時間で効率的に生ゴミを処理することができる。
【００３４】
また、実施の形態２及び実施の形態３において、ロール電極間に挟まれたときの生ゴミの抵抗値あるいは抵抗値変化を検知することにより、抵抗値の値によってロールの回転数を制御するような構成とすると、例えば、水分が十分存在するときは抵抗値が所定の値よりも小さく、乾燥が進むにつれて抵抗値が大きくなようになる。抵抗値が小さいときにはロールの回転数を遅くして（あるいは、止める）、抵抗値が所定の値を超えたときに回転するように制御することにより、生ゴミを完全に効率よく乾燥させることができる。
【００３５】
本発明では、２段であるがそれ以上ロールを増やしてもよい。
【００３６】
（実施の形態４）
図５は、本発明の第４の実施の形態における生ゴミ処理機の断面図を示すものである。図５において、外容器３１の一部に生ゴミ１を投入するための生ゴミ投入口３０が設けられている。さらに、生ゴミ投入口３０に続き、駆動用ローラー５０によって駆動する無限軌道電極５１が配置され、無限軌道電極５１に発振器８と電源／増幅器９からの電力を電力供給線７を通じて供給する構成としている。
【００３７】
以上のように構成された生ゴミ処理機について、以下その動作、作用を説明する。
【００３８】
外容器３１に設けられた生ゴミ投入口３０から生ゴミ１を投入する。投入された生ゴミ１は所定の速度で回転している無限軌道電極５１の間を通過する際に、生ゴミ１を通電し、発生した熱（ジュール熱）によって含まれている水分が水蒸気となって蒸発する。また、回転している無限軌道電極５１を通過する際に生ゴミ１に圧力がかかり潰されることで無限軌道電極５１との密着性もよくなり生ゴミ１への通電効率がよくなる。さらに、生ゴミ１が崩れることで生ゴミ１内部からの水分蒸発を助長するように作用する。また、無限軌道電極５１の構成とすることにより、同じ回転数でも生ゴミ１が電極に接している時間が長くなり回転を止めることなく連続で生ゴミ１を処理することができるものである。以上のように、無限軌道電極５１により、生ゴミ１に通電加熱を行うことで乾燥ゴミ３２へ連続的に生ゴミを処理することができ、かつ省エネで短時間を実現することができる。
【００３９】
以上のように、本発明の実施の形態で示した各電極に対し印可する電力が交流であること（例えば１〜１００ＫＨｚ、加熱する生ゴミの種類によって変えればよい）により、電極自身の腐食が防げ、生ゴミの内部まで電気が伝わりやすくなり均一で効率的に生ゴミを発熱させることができ、短時間で生ゴミを処理できる。
【産業上の利用可能性】
【００４０】
以上のように、本発明にかかる生ゴミ処理機は、省エネでかつ短時間で生ゴミを乾燥させることにより生ゴミを簡単に減量化することが可能となるので、食品加工工場や農家での野菜くず処理等の用途にも適用できる。
【図面の簡単な説明】
【００４１】
【図１】本発明の実施の形態１における生ゴミ処理機の断面図
【図２】本発明の実施の形態１における他の生ゴミ処理機の断面図
【図３】本発明の実施の形態２における生ゴミ処理機の断面図
【図４】本発明の実施の形態３における生ゴミ処理機の断面図
【図５】本発明の実施の形態４における生ゴミ処理機の断面図
【図６】従来の生ゴミ処理機の断面図
【図７】従来の他の生ゴミ処理機の断面図
【符号の説明】
【００４２】
１  生ゴミ
２ａ  電極Ａ
２ｂ  電極Ｂ
３  外殻容器
４  内容器
５  給電ターミナル
６  給電端子
７  電力供給線
８  発振器
９  電源／増幅器
２０  孔
２１  水蒸気
３０  生ゴミ投入口
３１  外容器
３２  乾燥ゴミ
３３  ロール電極
４０  第１段目ロール電極
４１  第２段目ロール電極
５０  駆動用ローラー
５１  無限軌道電極
６０  ゴミ
６１  ゴミ容器
６２  回転刃
６３  加熱手段
６４  熱風ファン
６５  凝縮容器
６６  送風ファン
６７  凝縮水容器
７０  処理媒質（ゴミ）
７１  処理槽
７２  撹拌モーター
７３  撹拌羽根
【図１】
2005052771.tif 000003
【図２】
2005052771.tif 000004
【図３】
2005052771.tif 000005
【図４】
2005052771.tif 000006
【図５】
2005052771.tif 000007
【図６】
2005052771.tif 000008
【図７】
2005052771.tif 000009